(57)【要約】      （修正有）【課題】衣服を折り曲げなどで傷めずに着衣形状で飾れる衣服装飾掛け額縁を提供する。【解決手段】幅３０〜１００ｍｍ、厚さ１５〜５０ｍｍのモールディング材料の棹状フレーム材をカットして、長さ３００〜２０００ｍｍの３〜６本のフレームを繋ぎ合わせて、縦３００〜２５００ｍｍ、横３００〜１５００ｍｍの長方形状、又は正方形状又は多角形状の枠体額縁と、枠体額縁を固定して表示衣服の陳列を容易にする枠体寸法と同様なスペーサーと、スペーサーの裏面側に厚さ２〜５ｍｍの板材を取り付けて、板材の表面には種々の色彩を持つ布、又はフェルトを貼った裏板と額縁とスペーサーとからなる額縁表示内面体と、額縁表示内面体の上部の中央位置にフック状のハンガー取り付部を取り付け、取り付部に掛けるハンガー形式の衣服掛けとして、衣服の型枠になるようなハンガー形状に調整することが可能な材料と、からなる。【選択図】図１
0003214788.tif 000002
【実用新案登録請求の範囲】
【請求項１】
幅２０〜１００ｍｍ、厚さ１５〜５０ｍｍのモールディング材料の棹状フレーム材をカットして、長さ３００〜２０００ｍｍの３〜６本のフレームを繋ぎ合わせて、縦３００〜２５００ｍｍ、横３００〜１５００ｍｍの長方形状、又は正方形状又は多角形状の枠体額縁と、前記枠体額縁を固定して表示衣服の陳列を容易にする枠体寸法と同様なスペーサーと、前記スペーサーの裏面側に厚さ２〜５ｍｍの板材を取り付けて、板材の表面には種々の色彩を持つ布、又はフェルトを貼った裏板と額縁とスペーサーとからなる額縁表示内面体と、前記額縁表示内面体の上部の中央位置にフック状を取り付けハンガー取け付部と、前記取け付部に掛けるハンガー形式の衣服掛けとして、衣服の型枠になるような形状に調整することが可能な材料と、からなっていることを特徴とする衣服装飾掛け額縁
【請求項２】
前記額縁表示内面体の裏板は、平面状布、又はフェルトを張り付けた面に衣服を装飾的に掛ける衣服掛け収納面部と、前記収納面部に設けられたフック状のハンガー取け付部とを有し、衣服を着衣させるフレキシブル線材、又は樹脂製パイプの接合・組み立てのハンガー部とになり、および前記額縁表示内面体のハンガー取け付部に引っ掛けられる衣服を有するハンガーと、前記衣服掛け収納面部より外側に突出する衣服の一部を衣服の裏面側に折り畳んで保持する折り畳部とを設けられていることを特徴とする請求項１に記載の衣服装飾掛け額縁。
【請求項３】
裏板に張り付けられる種々の色彩を持つ布又はフェルトは、厚さ０．３〜１ｍｍであって、色彩として、青色、緑色、紫色、赤色、黒色、茶色の単一色であり、２〜３ｍｍの合成板に張り付けて使用されていることを特徴とする請求項１、又は請求項２に記載の衣服装飾掛け額縁。
【請求項４】
衣服の型枠になるような形状に調整することが可能なハンガータイプの材料は、径３〜１０ｍｍの太さ、８００〜３２００ｍｍの長さのフレキシブル線状（アルミ線の芯材に塩化ビニルコーティングしたもの）、又はパイプ材料であり、フレキシブル線材として記憶合金からなった金属線、あるいは樹脂製細パイプの接合・組み立てによるハンガー状衣服掛け形状体にして、衣服を皺の存在が少ない状態で衣服を掛けることができる型枠を自由に形付けることが可能な材料であることを特徴とする請求項１〜請求項３のいずれかに記載の衣服装飾掛け額縁。
【請求項５】
前記額縁とスペーサーからなる額縁本体は、前面側に保護用として厚さ２〜５ｍｍのアクリル樹脂製透明樹脂板を使用して、前記額縁表示内面体の内面部で衣服の収納部が布又はフェルトを張った合成板に設けられ、前記額縁表示内面体で枠体額縁とスペーサーと裏板とで取り外しを可能にしていることを特徴とする請求項１〜請求項４のいずれかに記載の衣服用額縁。
【考案の詳細な説明】
【技術分野】
【０００１】  本考案は、記念的ユニフォームなどの衣服を飾る衣服用装飾掛け額縁に関して、ユニフォームの衣服を記念的、装飾的に着衣させるハンガーによって取り付けできる額縁に関する。
【背景技術】
【０００２】  従来、衣服を飾る衣服用額縁として、例えば、和服用額縁があり、この和服用額縁では、額縁本体の内部に和服を収納する収納部を形成し、この収納部の上部側にバーを横向きに架設し、和服の裾柄部分などが表に現れるように折り畳んだ状態でバーに引っ掛けて飾っているものが提案されている（特許文献１参照。）。【０００３】  このような和服用額縁では、折り畳んで飾るため、飾れる衣服が和服などに限られ、例えば、サッカーや野球などのユニフォームなどのように着衣状態広げて飾る衣服には適していない。そのため、ユニフォームなどについては、着衣形状に広げた状態でピンを直接刺して額縁の裏板に係止することにより、着衣形状で飾るようにしている。【０００４】またレコード・レーザーディスク・コンパクトディスクなどのジャケットを、美術品・インテリア・アクセサリーとして楽しむための装飾用ジャケットケースが提案されている（特許文献２参照）。【０００５】また額縁本体にユニフォームを収納する収納部を設け、収納部にハンガー取付部を設ける。ユニフォームをハンガーの着衣部にユニフォームを着衣させる。ハンガーの引掛部を収納部のハンガー取付部に引っ掛け、ユニフォームを吊下げ状態で収納部に収納する。ユニフォームを傷めずに着衣形状で飾れる方法が提案されているが、衣服の装飾的着衣にたいしては問題を持っていた（特許文献３参照）。【０００６】衣服を掛ける場合には、中心部に所定径の穴を設けた布材からなる方形又は多角形状のカバー本体に縁取り加工を施し、表面中心部に方形状に裁断し縫製加工を施した他の布材を複数折りにし、両端を連結することによって輪状に形成し、内部にゴム紐等の弾性材を挿着して中心部を絞った装飾布を前記穴を覆うように取り付け、カバー本体の裏面に前記穴の周辺に沿って裏当て布を取り付け、方形状のカバー本体の対峙する二つのコーナーに装飾体を設けた衣服カバーが提案されている（特許文献４参照）。【０００７】洋服を着衣される上で、実用的であると同時に装飾性を有するため、あらゆる場所に吊り下げることができ、係止手段と収納袋体を着脱自在に組合せることで、容易に製造することができると共に、係止手段の取り替えを可能にすることにより、あらゆる係止具を使用することができることを目的に、内部に種々の物品を収納、保管するために、襟部に相当する位置に開口部を、裾部に相当する位置に収納部分をそれぞれ形成した衣服形状を模した収納袋体と、収納袋体の両肩部に相当する位置に形成した、衣服用ハンガーを掛け止める掛止部と備えたものが提案されている（特許文献５参照）。【０００８】記念的ユニフォームなどの衣服を飾る衣服用装飾掛け額縁に関して、ユニフォームの衣服を記念的、装飾的に着衣させるハンガーによって取り付けできる額縁は存在していない。
【先行技術文献】
【特許文献】
【０００９】
【特許文献１】特開平１１−３４６８８７号公報
【特許文献２】実用新案登録第３０２３５２２号公報
【特許文献３】特開２００５−２０５１０６号公報
【特許文献４】特開２００３−２９２０７６号公報
【特許文献５】特開２００３−２１０３０５号公報
【考案の概要】
【考案が解決しようとする課題】
【００１０】衣服用額縁では、折り畳んで飾るため、飾れる衣服洋服などに限られ、例えば、サッカーや野球などのユニフォームなどのように着衣状態に広げて飾る衣服には折り畳んだり、皺の入った状態で飾ることになっている。このような衣服の飾り額縁には記念的に保存する場合には適していない。【００１１】  しかしながら、野球、サッカーなどのユニフォームなどを記念的に飾る場合、ユニフォームにピンを直接刺すため、ユニフォームを傷める問題がある。本考案は、このような点に鑑みなされたもので、記念的なユニフォームの衣服を傷めずに装飾的に着衣形状で飾ることができるハンガーを持つ長時間記念的衣服用装飾性額縁を提供することが求められている。とくに記念的ユニフォームなどの衣服を飾る衣服用装飾掛け額縁に関して、ユニフォームの衣服を記念的、装飾的に着衣させるハンガーによって取り付けできる額縁を提供することを目的にしている。
【課題を解決するための手段】
【００１２】幅３０〜１００ｍｍ、厚さ１５〜５０ｍｍのモールディング材料の棹状フレーム材をカットして、長さ３００〜２０００ｍｍの３〜６本のフレームを繋ぎ合わせて、縦３００〜２５００ｍｍ、横３００〜１５００ｍｍの長方形状、又は正方形状又は多角形状の枠体額縁と、前記枠体額縁を固定して表示衣服の陳列を容易にする枠体寸法と同様なスペーサーと、前記スペーサーの裏面側に厚さ２〜５ｍｍの板材を取り付けて、板材の表面には種々の色彩を持つ布、又はフェルトを貼った裏板と額縁とスペーサーとからなる額縁表示内面体と、前記額縁表示内面体の上部の中央位置にピン状を取り付けハンガー取け付部と、前記取け付部に掛けるハンガー形式の衣服掛けとして、衣服の型枠になるような形状に調整することが可能な材料と、からなっている衣服装飾掛け額縁である。【００１３】前記額縁表示内面体の裏板は、平面状布、又はフェルトを張り付けた面に衣服を装飾的に掛ける衣服掛け収納面部と、前記収納面部に設けられたフック状のハンガー取け付部とを有し、衣服を着衣させるフレキシブル線材、又は樹脂製パイプの接合・組み立てのハンガー部とになり、および前記額縁表示内面体のハンガー取け付部に引っ掛けられる衣服を有するハンガーと、前記衣服掛け収納面部より外側に突出する衣服の一部を衣服の裏面側に折り畳んで保持する折り畳部とを設けられている。【００１４】裏板に張り付けられる種々の色彩を持つ布又はフェルトは、厚さ０．３〜１ｍｍであって、色彩として、青色、緑色、赤色、黒色、白色の単一色であり、２〜３ｍｍの合成板に張り付けて使用されている。【００１５】衣服の型枠になるような形状に調整することが可能なハンガータイプの材料は、径３〜１０ｍｍの太さ、８００〜３２００ｍｍの長さのフレキシブル線状、又はパイプ材料であり、フレキシブル線材として記憶合金からなった金属線、あるいは樹脂製細パイプの接合・組み立てによるハンガー状衣服掛け形状体にして、衣服を皺の存在が少ない状態で衣服を掛けることができる型枠を簡単かつ自由に形付けることが可能な材料である。【００１６】  前記額縁とスペーサーからなる額縁本体は、前面側に保護用として厚さ２〜５ｍｍのアクリル樹脂製透明樹脂板を使用して、前記額縁表示内面体の内面部で衣服の収納部が布又はフェルトを張った合成板に設けられ、前記額縁表示内面体で枠体額縁とスペーサーと裏板とで取り外しを可能にしている。【００１７】  この構成では、ハンガーの少なくとも衣服より露出する箇所の表面と額縁本体の収納部の表面とを同一素材で設けたため、ハンガーを目立たなくし、衣服を浮き出させて飾れる。この構成では、ハンガーの着衣部に、衣服の一部を着衣部の裏面側に折り畳んで保持する折畳部を設けたため、ハンガーで衣服を飾る状態に保持して収納部に容易に配置可能となるとともに、衣服を着衣形状のままコンパクトにまとめて飾れる。【００１８】額縁本体は、前面に収納部が設けられた裏板部、およびこの裏板部の前面に開閉可能に設けられた額縁部を備えているものである。
この構成では、前面に収納部が設けられた裏板部の前面に額縁部を開閉可能に設けたため、裏板部を壁に掛けたままでも衣服を容易に飾れる。
【考案の効果】
【００１９】衣服装飾掛け額縁によれば、ハンガーの着衣部に衣服を着衣させ、このハンガーの引掛部を額縁本体のハンガー取り付部に引っ掛け、衣服を額縁本体の収納部に吊下げ状態に収納するため、衣服を傷めずに着衣形状で簡単に飾ることができる。【００２０】ハンガーの着衣部を、ハンガーを板状で衣服の着衣形状に対応した形状に形成したため、衣服を着衣形状に保持して飾ることができる。特殊なハンガーで少なくとも衣服より露出する箇所の表面と額縁本体の収納部の表面とを同一素材で設けたため、ハンガーを目立たなくでき、裏板に布又はフェルトの厚さ１〜３ｍｍで、色彩として、青色、緑色、紫色、赤色、黒色、茶色を張っているので、色衣服を浮き出させて飾ることができる。【００２１】ハンガーの着衣部に、この着衣部より外側に突出する衣服の一部を着衣部の裏面側に折り畳んで保持するため、ハンガーで衣服を飾る状態に保持して収納部に容易に配置できるとともに、衣服を着衣形状のままコンパクトにまとめて飾ることができる。前面に収納部が設けられた前面に額縁部を開閉可能に設けたため、表板部を壁に掛けたままでも衣服を容易に記念的、装飾的に飾ることができる。
【図面の簡単な説明】
【００２２】
【図１】衣服装飾掛けハンガー付き額縁の斜視図である。
【図２】衣服装飾掛けハンガー付き額縁のハンガーを示した斜視図である。（ａ）はハンガーの額縁内の斜視図  （ｂ）はハンガーの展開状態の正面図、（ｃ）はハンガーの展開状態の側面図
【図２−１】衣服装飾掛けハンガー付き額縁のハンガー掛けと変形状態を示した斜視図である。（ｄ）はハンガーの変形  （ｅ）はフック状ハンガー掛け
【図３】衣服装飾掛けハンガー付き額縁での枠体とスペーサーの分解状態の斜視図である。Ａ：ユニフォームのない状態  Ｂ：ユニフォームを入れた状態
【図４】衣服装飾掛けハンガー付き額縁のハンガーの種類と取り付け状態図  Ａ：金属製ハンガー  Ｂ：樹脂製ハンガー
【図５】衣服装飾掛けハンガー付き額縁の側面からの構造図
【図６】衣服装飾掛けハンガー付き額縁の形状変更した図
【考案を実施するための形態】
【００２３】  以下、本考案の一実施の形態を図面を参照して説明する。
図１ないし図４に第１の実施の形態を示し、衣服用額縁で、この衣服用額縁によって飾る衣服としては、例えばサッカー、野球、バスケットボールなどの各種競技のユニフォームがある。
【実施例１】
【００２４】図１に示すように幅３０ｍｍ、厚さ４０ｍｍのモールディング材料の棹状フレーム材を４５度の角度でカットして、長さ横８００ｍｍ２本と１０００ｍｍ２本のフレームを繋ぎ合わせて、縦１０００ｍｍ、横８００ｍｍの長方形状のスペーサーと額縁からなる額縁本体にして、前記額縁本体の裏面に厚さ２ｍｍの板材を取り付けて、裏面の板材の表面には紺色の色彩を持つフェルトを貼った裏板」と、前記裏板の上部の中央位置にフック状をテープで取り付けハンガー取付部と、前記取付け部に掛けるハンガーは、図２に示すように衣服の型枠になるような形状を調整することが可能な径３〜１０ｍｍの太さ、２５００ｍｍの長さのフレキシブル金属線を使用した。【００２５】額縁本体は、平面状フェルト面に衣服を装飾的に掛ける衣服掛け収納部と、前記収納部に設けられたフック状のハンガー取付部を有し、衣服を着衣させるフレキシブル金属線のハンガー部になり、および前記額縁本体のハンガー取付部に引っ掛けられる引掛部を有するハンガーと、この着衣部より外側に突出する野球ユニフォーム衣服の一部を着衣部の裏面側に折り畳んで保持する折畳部とを設けられた。【００２６】フェルトは、厚さ２ｍｍであって、色彩として、紺色の単一色である。図４に示すようにフレキシブル金属線は、記憶合金からなった金属線であって、衣服を皺の存在が少ない状態でハンガーできる型枠を自由に形付けることが可能な金属材料である。
額縁本体は、図３に示すように額縁、スペーサーと前面に裏板の収納部が設けられた裏板部、およびこの裏板部の前面に開閉可能に設けられた額縁部を備えた。
【実施例２】
【００２７】図１に示すように幅３０ｍｍ、厚さ４０ｍｍのモールディング材料の棹状フレーム材を４５度の角度でカットして、長さ横８００ｍｍ２本と１０００ｍｍ２本のフレームを繋ぎ合わせて、縦１２００ｍｍ、横１０００ｍｍの長方形状のスペーサーと額縁からなる額縁本体にして、前記額縁本体の裏面に厚さ２ｍｍの板材を取り付けて、裏面の板材の表面には緑色の色彩を持つフェルトを貼った裏板と、前記裏板の上部の中央位置にピン状をテープで取り付けハンガー取付部と、前記取付け部に掛けるハンガーは、図２に示すように衣服の型枠になるような形状を調整することが可能な径３〜１０ｍｍの太さ、２５００ｍｍの長さのフレキシブル金属線を使用した。【００２８】額縁本体は、平面状フェルト面に衣服を装飾的に掛ける衣服掛け収納部と、前記収納部に設けられたピン状のハンガー取付部を有し、衣服を着衣させるフレキシブル樹脂部になり、および前記額縁本体のハンガー取付部に引っ掛けられる引掛部を有するハンガーと、この着衣部より外側に突出するサッカーユニホーム衣服の一部を着衣部の裏面側に折り畳んで保持する折畳部とを設けられた。【００２９】フェルトは、厚さ０．３〜１ｍｍであって、色彩として、黒色、白色、青色、赤色、緑色等の単一色である。図４に示すように樹脂製は、記憶合金からなった金属線であって、衣服を皺の存在が少ない状態でハンガーできる型枠を自由に形付けることが可能な樹脂製であった。額縁本体は、図３に示すように額縁、スペーサーと前面に裏板の収納部が設けられた裏板部、およびこの裏板部の前面に開閉可能に設けられた額縁部を備えた。
【実施例３】
【００３２】図６に示すように、幅３０ｍｍ、厚さ４０ｍｍのモールディング材料の棹状フレーム材をカットして、長さ５００ｍｍと長さ１０００ｍｍとの４本のフレームを繋ぎ合わせて、縦１０００ｍｍ、横５００ｍｍの長方形状のスペーサーと額縁と枠体にして、枠体の裏面に厚さ３ｍｍの板材を取り付けて、板材の表面には種々の色彩を持つフェルトを貼った額縁本体と、前記額縁本体の上部の中央位置にピン状を取り付けハンガー取付部と、前記取付け部に掛けるハンガーは、衣服の型枠になるような形状を調整することが可能な径５〜１０ｍｍの太さ、２２００ｍｍの長さのフレキシブル金属線から製作された。【００３３】額縁本体は、平面状フェルト面に衣服を装飾的に掛ける衣服掛け収納部と、前記収納部に設けられたピン状のハンガー取付部を有し、衣服を着衣させるフレキシブル金属線のハンガー部になり、および前記額縁本体のハンガー取付部に引っ掛けられる引掛部を有するハンガーと、この着衣部より外側に突出する衣服の一部を着衣部の裏面側に折り畳んで保持する折畳部とを設けられた。【００３４】フェルトは、厚さ０．３〜１ｍｍであって、色彩として、黒色、白色、青色、赤色  緑色の単一色である。フレキシブル金属線は、記憶合金からなった金属線であって、衣服を皺の存在が少ない状態でハンガーできる型枠を自由に形付けることが可能な金属材料である。
額縁本体は、前面に収納部が設けられた裏板部、およびこの裏板部の前面に開閉可能に設けられた額縁部を備えた。
【符号の説明】
【００３５】  １．    額縁本体
２．    衣服としてのユニホーム
３．    スペーサー
４．    ハンガー
５．    額縁部
６．    裏板部
７．    収納部
８．    ハンガー取付部
９．    着衣部
１０．  折畳部
１１．  引掛部としての引掛孔
１２．  布、フェルト
１３．  金属ハンガー
１４．  樹脂組み立てハンガー
１５．  アクリル樹脂保護板
１６．  枠体
【図１】
0003214788.tif 000003
【図２】
0003214788.tif 000004
【図２−１】
0003214788.tif 000005
【図３】
0003214788.tif 000006
【図４】
0003214788.tif 000007
【図５】
0003214788.tif 000008
【図６】
0003214788.tif 000009
【手続補正書】
【提出日】平成29年11月22日(2017.11.22)
【手続補正１】
【補正対象書類名】実用新案登録請求の範囲
【補正対象項目名】全文
【補正方法】変更
【補正の内容】
【実用新案登録請求の範囲】
【請求項１】
幅３０〜１００ｍｍ、厚さ１５〜５０ｍｍのモールディング材料の棹状フレーム材をカットして、長さ３００〜２０００ｍｍの３〜６本のフレームを繋ぎ合わせて、縦３００〜２５００ｍｍ、横３００〜１５００ｍｍの長方形状、又は正方形状又は多角形状の枠体額縁と、前記枠体額縁を固定して表示衣服の陳列を容易にする枠体寸法と同様なスペーサーと、前記スペーサーの裏面側に厚さ２〜５ｍｍの板材を取り付けて、板材の表面には種々の色彩を持つ布、又はフェルトを貼った裏板と額縁とスペーサーとからなる額縁表示内面体と、前記額縁表示内面体の上部の中央位置にフック状のハンガー取り付部を取り付け、前記取り付部に掛けるハンガー形式の衣服掛けとして、衣服の型枠になるようなハンガー形状に調整することが可能な材料と、からなっていることを特徴とする衣服装飾掛け額縁
【請求項２】
前記額縁表示内面体の裏板は、平面状布、又はフェルトを張り付けた面に衣服を装飾的に掛ける衣服掛け収納面部と、前記収納面部に設けられたフック状のハンガー取り付部とを有し、衣服を着衣させるフレキシブル線材、又は樹脂製パイプの接合・組み立てのハンガー部とになり、および前記額縁表示内面体のハンガー取り付部に引っ掛けられる衣服を有するハンガーと、前記衣服掛け収納面部より外側に突出する衣服の一部を衣服の裏面側に折り畳んで保持する折り畳部とを設けられていることを特徴とする請求項１に記載の衣服装飾掛け額縁。
【請求項３】
裏板に張り付けられる種々の色彩を持つ布又はフェルトは、厚さ１〜３ｍｍであって、色彩として、青色、緑色、紫色、赤色、黒色、または茶色の単一色であり、２〜３ｍｍの合成板に張り付けて使用されていることを特徴とする請求項１、又は請求項２に記載の衣服装飾掛け額縁。
【請求項４】
衣服の型枠になるようなハンガー形状に調整することが可能な材料は、径１〜１０ｍｍの太さ、８００〜３２００ｍｍの長さのフレキシブル線状、又はパイプ材料であり、フレキシブル線材として、塩化ビニルコーティングしたアルミニウム芯材線、或いは記憶合金からなった金属線の折り曲げによって、又パイプ材料として樹脂製細長パイプの接合・組み立てによって、ハンガー状衣服掛け形状体にして、衣服を皺の存在が少ない状態で衣服を掛けることができる型枠を自由に形付けることが可能な材料であることを特徴とする請求項１〜請求項３のいずれかに記載の衣服装飾掛け額縁。
【請求項５】
前記額縁とスペーサーからなる額縁本体は、前面側に保護用として厚さ２〜５ｍｍのアクリル樹脂製透明樹脂板を使用して、前記額縁表示内面体の内面部で衣服の収納部が布又はフェルトを張った合成板に設けられ、前記額縁表示内面体で枠体額縁とスペーサーと裏板とで取り外しを可能にしていることを特徴とする請求項１〜請求項４のいずれかに記載の衣服用額縁。